(57)【要約】【課題】使い捨て可能で、衛生的な洗濯作業を行うことができる洗濯機の屑取りネットを提供する。【解決手段】袋状に形成されたネットを洗濯機の上部水流中に配置し、前記ネットの開口部より水流を入力して水流中の屑類を濾し取る洗濯機の使い捨て屑取りネットであって、  前記ネットを、上縁を備えたネット本体と、該本体の上記上縁を支柱する上縁支持具とで構成し、かつ前期ネット本体を可燃ゴミとして焼却処理可能な材質のみで形成したことを特徴とする洗濯機の使い捨て屑取りネット。上縁支持部材をネット本体と共に使い捨て可能とする洗濯機の使い捨て屑取りネット。【選択図】      図1
2005095398.tif 000002
【特許請求の範囲】
【請求項１】
袋状に形成されたネットを洗濯機の上部水流中に配置し、前記ネットの開口部より水流を入力して水流中の屑類を濾し取る洗濯機の使い捨てネットであって、
前記ネットを、上縁を備えたネット本体と、該本体の上記上縁を支柱する上縁支持具とで構成し、少なくとも前記ネット本体を可燃ゴミとして焼却処理可能な材質のみで形成したことを特徴とする洗濯機の使い捨て屑取りネット。
【請求項２】
前記ネット本体の材質は、可塑性樹脂から成る不織布を主体として形成することを特徴とする請求項１に記載の洗濯機の使い捨て屑取りネット。
【請求項３】
前記上縁支持具も可燃ゴミとして焼却処理可能材質のみで形成し、前記ネット本体及び前記上縁支持具を一体化したことを特徴とする請求項１に記載の洗濯機の使い捨て屑取りネット。
【発明の詳細な説明】
【技術分野】
【０００１】
本発明は、洗濯水中に含まれる、糸屑、髪屑、汚物、ダニ等、非衛生的な屑類を手で触れることなく廃棄処理することができる洗濯機の使い捨て屑取りネットに関する。
【背景技術】
【０００２】
従来の洗濯機の屑取りネットとしては、例えば実公平2-6944号公報（洗濯くず捕集器）や特開平9-262397号公報（洗濯機用フィルター）に示されるものの例がある。前者は、係合並びに嵌合可能な一対の環状枠を有し、これら環状枠の間に捕集袋の上部を係合固定し、着脱を容易化して、洗濯くずの取り出しを容易にしたものである。後者は、洗濯水中には、糸屑の他に石鹸カス、泥、ダニ等が存在することから、これらを濾過できるフィルターとして親水性を有する天然繊維から成る糸を布状に織って袋状としたものである。
【０００３】
これら公報から見られるように、従来の洗濯機の屑取りネットとしては、着脱の容易性、濾過の性能については種々検討されているが、使い捨ての要否については一切検討されていない。
【０００４】
前述の洗濯機用のフィルターに見られるように、洗濯水中にはダニを含めて非衛生的物質が存在し、これが捕集袋のフィルターに付着していることは事実である。前述の洗濯機のフィルターは、この非衛生的物質を積極的に捕集するよう考慮されたものである。しかし、捕獲された屑類を手で触れずして除去する方法については何ら考慮されていない。
【０００５】
例えば、病院、理髪店、理容店等では、病原菌を持っているかもしれない他人や実際の病人等が身に付けていたものを洗濯しなければならない。理髪店では、多量の髪の毛が捕集される。これら屑類の中には、目で見て分からぬ微生物や汚物が多量に含まれる可能性がある。髪の毛は手で触れると、手に突き刺さることもある。従来は、捕集された屑類を捕集袋（ネット）から取り出す場合、捕集袋を手で裏返し、指で取り除いていた。この行為は、場合によっては大変不衛生である。
【特許文献１】実公平2-6944号公報、第1頁、図1
【特許文献２】特開平9-262397号公報、第1頁、図2
【発明の開示】
【発明が解決しようとする課題】
【０００６】
本発明は、ネットに非衛生的な物質を含めて屑類が捕集されるとき、捕集物に手を触れることなく廃棄できる洗濯機の使い捨て屑取りネットを提供することを目的とする。
【０００７】
また、洗濯機への取り付けが容易で、使った後の取り外しも容易であり、使った後にそのまま使い捨てできて衛生的に洗濯作業ができる洗濯機の使い捨て屑取りネットを安価に提供することを目的とする。
【課題を解決するための手段】
【０００８】
上記課題を解決することができる本発明の洗濯機の使い捨て屑取りネットは、袋状に形成されたネットを洗濯機の上部水流中に配置し、前記ネットの開口部より水流を入力して水流中の屑類を濾し取る洗濯機の使い捨てネットであって、
前記ネットを、上縁を備えたネット本体と、該本体の上記上縁を支柱する上縁支持具とで構成し、少なくとも前記ネット本体を可燃ゴミとして焼却処理可能な材質のみで形成したことを特徴とする。
【０００９】
ネット本体には、上縁を備える。上縁は、上縁支持具で支持される。支持の方式としては、上縁を係止、嵌合、或いは挟み込む等の手段による。係止とは、上縁に明けた穴を突起物に引掛ける等による。嵌合或いは挟み込みは、特開平9-262397号公報の捕集器に見られるように、一対の環状枠を用いる等による。さらには、上縁支持具をネット本体に一体化し、両者を併せて使い捨てとすることもできる。
【００１０】
例えば、袋状に形成したネット本体の上縁部を腰を付けて作り、その縁を3本又は4本の糸、或いは紐で吊るし、これら糸又は紐を上縁支持具と見たて、糸又は紐を洗濯機に対し引掛ける。洗濯機に引掛けられたネット本体は、水流中で屑取りすることができる。屑取り後、ネット本体及び上縁支持具を共に可燃ゴミとして廃棄できる。
【００１１】
少なくともネット本体は、可燃ゴミとして焼却処理可能な材質のみで形成する。焼却処理可能な材質としては、綿糸等の天然糸、ポリプロピレン、ポリエステル、ポリエチレン等の合成樹脂並びに紙の例がある。紙の場合、耐洗紙を用いても強度上の問題があると共に、紙そのものは濾過性に劣るので、合成樹脂繊維と混紡して不織布として用いる。製造の都合から、熱可塑性樹脂を用いるのが好ましい。熱可塑性樹脂を用いれば、縫い合せを熱で行えるので、袋体を容易に形成でき、かつ上縁を適切かつ高強度に仕上げることができる。
【００１２】
上縁としては、縁を単に補強しただけのものの他、上縁支持具に合わせて、当該上縁支持具に支持できる種々の形状とすることができる。例えば、上縁支持具を一対の平行なか保ち棒とし、この棒の片側から挿通できる穴構造とすることができる。穴構造の一例としては、縁を折り曲げて端部を熱融着で縫い、その内側に棒を挿通できる形のものや、その中にストローを通した形のもの等の例がある。上縁に耐洗紙で作った矩形の厚紙を固定して左右に張り出す一対のフランジを作り、このフランジを上縁支持具で固定すること等もできる。
【００１３】
上縁支持具で支持されたネット本体は、容易に取外すことができる。即ち、洗濯後、使い終ったネット本体を上縁支持具から外し、そのまま可燃ゴミとして使い捨てることができる。
【００１４】
熱可塑性樹脂を主体として形成したネット本体は、熱融着可能であり、かつ熱成型可能であるので、袋状に形取ることができる。さらに袋状に成型されたネット本体の上縁は、ネット本体と共に使い捨て可能な上縁支持具としての糸や紐で吊るすこともできる。
【発明の効果】
【００１５】
本発明の洗濯機の使い捨て屑取りネットは、ネット本体の上縁を上縁支持具で支持して洗濯機の上部水流中に配置されるので、着脱容易で、不要のときに容易に取外しでき、新たに取り付け可能である。また、ネット本体を可燃ゴミとして焼却処理可能な材質のみで形成するので、使い捨て可能であり、捕集された屑類に手を触れることなく処理できる。
【００１６】
ネット本体の材質を熱可塑性樹脂から成る不織布を主体として構成すれば、熱縫合処理ができるので、製造容易で安価に提供できる。ネット本体の材質を熱可塑性樹脂する場合には、熱融着又は熱成型可能であるので、袋状に形取ることもできる。また、その場合、上縁を糸で吊るし、糸で構成される上縁支持具をネット本体と共に使い捨てるようにすることもできる。
【発明を実施するための最良の形態】
【００１７】
以下、添付図面を参照しつつ本発明を実施するための最良の形態を説明する。図１は、本発明の一実施形態に係る洗濯機の使い捨て屑取りネットを示す斜視図である。図２及び図３は、その製造方法を示す説明図である。
【００１８】
図１に示すように、本発明の一実施形態に係る洗濯機の使い捨て屑取りネット１は、ネット本体２と、上縁支持具３と、固定具４と、付属品５とで構成される。
【００１９】
ネット本体２は、図２及び図３に示すように、ポリプロピレン、ポリエステル、ポリエチレンから選ばれた１又は複数の素材、或いはこれらと紙とを混紡して成る不織布６（６Ａ、６Ｂ）を折り曲げて袋状に熱縫合し、その上端に上縁７を形成して成る。
【００２０】
上縁７は、図２に示す開口部分８、即ち不織布６（６Ａ、６Ｂ）の合わせ目で縫合しなかった部分を矩形に開き、四隅を1〜2cmカットし、対峙する2辺を裏返し、熱縫合して補強部８とすると共に、他の2辺も裏返し、これには空洞部９を形成して熱縫合し、その空洞部９にストロー１０（１０Ａ、１０Ｂ）を介在させて形成される。ストローとは、麦藁のような直径3〜5mm程度の樹脂製の細い管を示すが、材質が可燃物として廃棄可能のものであれば食料用のストロー材をそのまま用いることもできる。ストロー２０は、上縁７に腰を付けるためのものであるが、省略されることもある。以下の説明ではストロー１０は装着されているものとする。底部は、適宜折り畳んで箱形とすることができる。図１では箱形として示している。
【００２１】
再度図１において、上縁支持具３は、固定具４に吊下げ可能のホルダー１１と、2本の突出しロッド１２（１２Ａ、１２Ｂ）とを有し、両者は接合材１３を介して等間隔で維持されている。両ロッド１２Ａ、１２Ｂの間隔はネット本体２のストロー１０Ａ、１０Ｂの間隔と一致され、ロッド１２Ａ、１２Ｂの直径は、ストロー１０Ａ、１０Ｂの直径より十分小さく、ストロー１０Ａ、１０Ｂは、ロッド１２Ａ、１２Ｂに対して挿通及び抜き出し可能である。
【００２２】
付属品５は、ネット本体２のストロー１２Ａ、１２Ｂをロッド１０Ａ、１０Ｂに挿通した後、洗濯中にネット本体２がロッド１２Ａ、１２Ｂから抜け出さないようにするためのものである。付属品５は、ロッド１２Ａ、１２Ｂの間隔に合わせた寸法の支持杆と、その両端に備えたゴム製リング材１４（１４Ａ、１４Ｂ）から成る。ゴム製リング１４Ａ、１４Ｂには、ロッド１２Ａ、１２Ｂより僅かに小さな穴が明けられている。従って、両ゴム製リング１４Ａ、１４Ｂをロッド１２Ａ、１２Ｂの先端に挿すことにより、ネット本体２が抜け出すのを防止できる。ロッド１２Ａ、１２Ｂの先端に係止部を設けたり、曲げたりすることによりネット本体２の抜け出しを防止できる場合には、付属品５を省略することもできる。
【００２３】
固定具４は、真空吸盤１５と、上縁支持具３と、これに接続される紐１６とで成る。真空吸盤１５を洗濯機本体に固定し、紐１６を介して上縁支持具３を吊るし、上縁支持具３にネット本体２の上縁７を支持し洗濯機の水流中に配置することにより、洗濯水中の屑類をネット本体２中に濾し取ることができる。紐１６は、チェーン等とすることもある。
【００２４】
以上の構成の洗濯機の使い捨て屑取りネット１において、ネット本体２の上縁７には、ストロー１０Ａ、１０Ｂが設けられているので、これをロッド１２Ａ、１２Ｂに挿通することにより、容易に取り付けることができる。付属品５は適宜用いる。１又は複数回の洗濯により、ネット本体２中に多量の屑類が捕集されると、ロッド１２Ａ、１２Ｂから付属品５を外し、上縁７の一端に指をかけて引くことにより、ネット本体２をロッド１２Ａ、１２Ｂから外すことができる。取外したネット本体２は、可燃ゴミとして捨てることができる。捨てられたゴミは、焼却処理される。この間、ネット本体２中の屑類に手をかけなくて良いので衛生的である。ネット本体２に小さな取っ手を設け、これを持ち引き出すようにすることもできる。
【００２５】
屑類の中には病原菌も含まれる。とくに医療や理容、美容に関係したものの洗濯物の中には、人の頭垢や毛が含まれ、短い髪の毛は人の指に突き刺さることもある。これら屑類は大変に非衛生的である。本発明の洗濯機の使い捨て屑取りネット１では、ネット本体２を使い捨てできるので、洗濯を衛生的に行うことができる。
【００２６】
図４は、本発明の他の実施形態を示す側面図である。本実施形態に係る洗濯機の使い捨て屑取りネット１７は、図１に示すものに対し、ネット本体１８の作りと、上縁１９を支持する上縁支持具２０の構造が異なる。図中、図１に示すものと同一機能を果たす部材には同一参照符号を付けて示してある。
【００２７】
図４に示すネット本体１８は、図２に示す不織布６を熱成型で形取って作られる。上縁１９は円盤状のフランジとされている。不織布６であるので、手で押えると容易に形が崩れる程度に柔らかく、上縁１９は、布1枚であるので、特に柔らかい。
【００２８】
上縁支持具２０は、前記上縁１９のフランジの中間部寸法と同一径で、上部材２０Ａと下部材２０Ｂとに分けられている。下部材２０Ｂには、上方向に向けて突部２１が設けられ、上部材２０Ａには下方向に向けて、突部２１を嵌入可能な凹部２２が設けられている。突部２１は凹部２２に緩く嵌合可能な寸法とされ、その間に上縁１９を挟んで、強く嵌合支持できる。
【００２９】
以上の構成により、本実施形態の洗濯機の使い捨て屑取りネット１７では、フランジ形成された上縁１９を上下部材に分割された上縁支持具２０（２０Ａ、２０Ｂ）間で挟み、摩擦力で固定して両者を一体化できる。ネット本体１８の取り外しは、下部材２０Ｂを上部材２０Ａから引き外すことにより容易に行うことができる。この引き外しを容易化するために、下部材２０Ｂの下方に小さな摘みを設けることもできる。使い捨てによる効果については前述した通りである。
【００３０】
図５は、本発明の更に他の実施形態に係る洗濯機の使い捨て屑取りネット２３を示す斜視図である。本例の洗濯機の使い捨て屑取りネット２３は、腰のあるリング材を用いてネット本体２４の上縁２５を作り、上縁２５を3本の糸２７で縛り、糸で作った輪で構成される被係止具２８で結合し、これを固定具４の紐１６の先端に設けた釣針状の係止具２７に引掛けるようにしたものである。糸２７と被係止具２８を上縁支持具２６と称することができる。
【００３１】
作り方は、図４に示したものと同様にネット本体２４を熱成型し、その上部に腰のあるリング材を熱融着で固定する。リング材は可燃物として焼却可能な樹脂、耐洗紙等を用いる。不織布６の縁を何重かに折り曲げて腰を強くしたものでも良い。図１、図３に示したものと同一機能を果す部材には、同一参照符号を付けて示してある。
【００３２】
糸２７は、洗濯中にネット本体２４が回転し、絡み、縺れることがあるので、糸に適当な長さのストロー１０Ｃを通しておくと良い。このようにすれば、洗濯機中でネット本体２４が回転しても糸２７が絡まず、屑取り機能を十分に発揮することができる。
【００３３】
ストロー１０Ｃは、糸を絡めないためのものであるが、糸の絡み防止手段としては、この他、次のようなものがある。糸を短くする。3本の糸の中間に3個の穴を明けた円板を配置する。3本の糸をまとめず、被係止具を別々にする等々。
【００３４】
本実施形態に係る洗濯機の使い捨て屑取りネット２３では、ネット本体２４の上縁２５と上縁支持具２６が共に可燃物として焼却可能な材質で作られると共に、両者一体化されているので、併せて使い捨てることができる。また、固定具４への取り付けおよび取外しを被係止具２８の係止具２９への引掛け操作のみで行うことができ、最も容易に取り付け、取り外しでき、かつ取り外しにおいてネット本体２４に一切触れなくても良く、衛生的である。販売上の形態では、図５に示した袋状のネット本体を、上下に押し潰し、体積を縮小した形で取扱えば良い。使用時には、それを引き伸ばし、図５に示した形で使用できる。ネット本体２４の袋部５の形取りは本発明の必須要件ではない。上縁２５に腰を与え、糸を掛ける点が要件である。袋部分の形は、例えば図３に示すようなものであっても良い。形取らなくても洗濯水中で膨らんで屑取り機能を果すことができるからである。販売上、利便性の観点から、好ましい形状に形取っておく方が好ましい。
【００３５】
本発明は、上記実施形態に限定されるものではなく、本発明の要旨を逸脱しない範囲で適宜設計的変更可能であり、各種態様で実施できる。
【図面の簡単な説明】
【００３６】
【図１】本発明の一実施形態に係る洗濯機の屑取りネットを示す斜視図である。
【図２】図１に示したネット本体の製造方法を示す説明図で、ネット素材としての布を折り曲げて熱縫合している状態を示す平面図である。
【図３】図２に示した熱縫合品に上縁を形成した状態を示す斜視図である。
【図４】本発明の他の実施形態に係る洗濯機の使い捨て屑取りネットを示す側面図である。
【図５】本発明の更に他の実施形態に係る洗濯機の使い捨て屑取りネットを示す斜視図である。
【符号の説明】
【００３７】
１、１７、２３  洗濯機の使い捨て屑取りネット
２、１８、２４  ネット本体
３、２０、２６  上縁支持具
４  固定具
５  付属品
６Ａ、６Ｂ  不織布
７、１９、２５  上縁
８  開口部分
９  空洞部
１０Ａ、１０Ｂ、１０Ｃ  ストロー
１１  ホルダー
１２Ａ、１２Ｂ  ロッド
１３  接合材
１４Ａ、１４Ｂ  ゴム製リング
１５  真空吸盤
１６  紐
２０Ａ  上部材
２０Ｂ  下部材
２１  突部
２２  凹部
２７  糸
２８  被係止具
２９  係止具
【図１】
2005095398.tif 000003
【図２】
2005095398.tif 000004
【図３】
2005095398.tif 000005
【図４】
2005095398.tif 000006
【図５】
2005095398.tif 000007